(57)【要約】【課題】消費電力を低減させることができるエミッタフォロワ回路を提供すること。【解決手段】本発明では、トランジスタのエミッタ端子に電流源を接続し、ベース端子から入力される入力信号に追従する出力信号をエミッタ端子から出力するエミッタフォロワ回路において、前記電流源は、入力信号よりも９０度遅れた位相で変化する電流を通電させるべく構成することにした。【選択図】      図１
2004253919.tif 000002
【特許請求の範囲】
【請求項１】
トランジスタのエミッタ端子に電流源を接続し、ベース端子から入力される入力信号に追従する出力信号をエミッタ端子から出力するエミッタフォロワ回路において、
前記電流源は、入力信号よりも９０度遅れた位相で変化する電流を通電させるべく構成したことを特徴とするエミッタフォロワ回路。
【請求項２】
前記電流源は、前記入力信号の位相を９０度遅らせた制御信号を前記入力信号を用いて生成するための制御信号生成部と、前記制御信号に基づいて前記入力信号よりも９０度遅れた位相で変化する電流を通電させる可変電流通電部とを有することを特徴とする請求項１記載のエミッタフォロワ回路。
【請求項３】
第１〜第４のトランジスタのエミッタ端子に第１〜第４の電流源を接続し、前記第１〜第４のトランジスタのベース端子から入力される９０度ずつ位相が異なる第１〜第４の入力信号に追従した第１〜第４の出力信号を前記第１〜第４のトランジスタのエミッタ端子から出力する４入力４出力型のエミッタフォロワ回路において、
前記第１〜第４の電流源は、各トランジスタのベース端子に入力される前記入力信号よりも９０度位相が遅れた他の入力信号又は出力信号を用いることによって各トランジスタのベース端子に入力される前記入力信号よりも９０度遅れた位相で変化する電流を通電させるべく構成したことを特徴とする４入力４出力型のエミッタフォロワ回路。
【請求項４】
入力された発振信号に基づいて位相が９０度ずつ異なる第１〜第４の基準位相信号を生成する位相信号生成回路と、第１〜第４のトランジスタのエミッタ端子に第１〜第４の電流源を接続し、前記第１〜第４のトランジスタのベース端子に前記第１〜第４の基準位相信号を入力し、同第１〜第４の基準位相信号に追従した第１〜第４の出力信号を前記第１〜第４のトランジスタのエミッタ端子から出力する４入力４出力型のエミッタフォロワ回路とを有する位相シフト回路において、
前記エミッタフォロワ回路の前記第１〜第４の電流源は、各トランジスタのベース端子に入力される前記基準位相信号よりも９０度位相が遅れた他の前記基準位相信号又は前記出力信号を用いることによって各トランジスタのベース端子に入力される前記基準位相信号よりも９０度遅れた位相で変化する電流を通電させるべく構成したことを特徴とする位相シフト回路。
【請求項５】
所定周波数の発振信号を生成する発振回路と、前記発振信号を二分配しかつ９０度の位相差をもたせて出力する位相シフト回路とを有するイメージ除去受信装置において、
前記位相シフト回路は、入力された前記発振信号に基づいて位相が９０度ずつ異なる第１〜第４の基準位相信号を生成する位相信号生成回路と、第１〜第４のトランジスタのエミッタ端子に第１〜第４の電流源を接続し、前記第１〜第４のトランジスタのベース端子に前記第１〜第４の基準位相信号を入力し、同第１〜第４の基準位相信号に追従した第１〜第４の出力信号を前記第１〜第４のトランジスタのエミッタ端子から出力する４入力４出力型のエミッタフォロワ回路を設け、
前記エミッタフォロワ回路の前記第１〜第４の電流源は、各トランジスタのベース端子に入力される前記基準位相信号よりも９０度位相が遅れた他の前記基準位相信号又は前記出力信号を用いることによって各トランジスタのベース端子に入力される前記基準位相信号よりも９０度遅れた位相で変化する電流を通電させるべく構成したことを特徴とするイメージ除去受信装置。
【発明の詳細な説明】
【０００１】
【発明の属する技術分野】
本発明は、エミッタフォロワ回路及び同回路を有する位相シフト回路に関するものである。
【０００２】
【従来の技術】
従来より各種電子回路の出力段には、出力インピーダンスが低いエミッタフォロワ回路が広く用いられている。
【０００３】
たとえば、図１２に示すようなＧＰＳ受信機などで使用されている位相シフト回路２００では、入力された発振信号に基づいて位相が９０度ずつ異なる第１〜第４の基準位相信号を生成する位相信号生成回路２０１と、電流加算型の加算回路２０２と、振幅制限を行うリミッタ回路２０３と、４入力４出力型のエミッタフォロワ回路２０４とを順に接続して構成している（たとえば、特許文献１参照）。
【０００４】
かかる４入力４出力型のエミッタフォロワ回路２０４は、第１〜第４のトランジスタ２０５，２０６，２０７，２０８のエミッタ端子に第１〜第４の電流源となるＮＭＯＳトランジスタ２０９，２１０，２１１，２１２を接続するとともに、第１〜第４のトランジスタ２０５，２０６，２０７，２０８のベース端子に第１〜第４の基準位相信号を入力し、これら第１〜第４の基準位相信号に追従した第１〜第４の出力信号を第１〜第４のトランジスタ２０５，２０６，２０７，２０８のエミッタ端子から出力するように構成している。
【０００５】
そして、４入力４出力型のエミッタフォロワ回路２０４を構成する一単位のエミッタフォロワ回路について注目してみると、図１３に示す広く知られたエミッタフォロワ回路２１３となっている。
【０００６】
かかるエミッタフォロワ回路２１３は、ＮＰＮ型のトランジスタ２１４のコレクタ端子に電源ＶＣＣを接続するとともに、トランジスタ２１４のベース端子に入力端子２１５を接続する一方、トランジスタ２１４のエミッタ端子に出力端子２１６を接続し、さらには、トランジスタ２１４のエミッタ端子にグランドＧＮＤを定電流源２１７を介して接続しており、入力端子２１５から入力される入力信号に追従する出力信号を出力端子２１６から出力するようにしている。
【０００７】
【特許文献１】
特開２００２−３５３７５４号公報
【０００８】
【発明が解決しようとする課題】
ところが、上記した従来のエミッタフォロワ回路２１３にあっては、出力端子２１６（トランジスタ２１４のエミッタ端子）とグランドＧＮＤとの間に定電流源２１７を接続することによって、入力信号の電圧変化とは全く無関係に常に一定の電流を定電流源２１７で通電して、エミッタフォロワ回路２１３を駆動するようにしていた。
【０００９】
これは、入力信号の電圧が減少する方向に変化する場合には、エミッタフォロワ回路２１３の駆動能力が定電流源２１７で通電する電流値に依存するために、エミッタフォロワ回路２１３として十分な駆動能力を確保するために、定電流源２１７で常に必要とされる最大の電流を通電できるようにしていたためである。
【００１０】
そのため、入力信号の電圧が増加する方向に変化する場合には、定電流源２１７から必要以上の電流が通電されることになり、かかる過電流によってエミッタフォロワ回路２１３の消費電力が増大していた。したがって、上記した位相シフト回路２００のように４入力４出力型のエミッタフォロワ回路２０４を用いた場合には、位相シフト回路２００の消費電力を大幅に増大させるおそれがあった。
【００１１】
【課題を解決するための手段】
そこで、請求項１に係る本発明では、トランジスタのエミッタ端子に電流源を接続し、ベース端子から入力される入力信号に追従する出力信号をエミッタ端子から出力するエミッタフォロワ回路において、前記電流源は、入力信号よりも９０度遅れた位相で変化する電流を通電させるべく構成することにした。
【００１２】
また、請求項２に係る本発明では、前記請求項１に係る本発明において、前記電流源は、前記入力信号の位相を９０度遅らせた制御信号を前記入力信号を用いて生成するための制御信号生成部と、前記制御信号に基づいて前記入力信号よりも９０度遅れた位相で変化する電流を通電させる可変電流通電部とを有することにした。
【００１３】
また、請求項３に係る本発明では、第１〜第４のトランジスタのエミッタ端子に第１〜第４の電流源を接続し、前記第１〜第４のトランジスタのベース端子から入力される９０度ずつ位相が異なる第１〜第４の入力信号に追従した第１〜第４の出力信号を前記第１〜第４のトランジスタのエミッタ端子から出力する４入力４出力型のエミッタフォロワ回路において、前記第１〜第４の電流源は、各トランジスタのベース端子に入力される前記入力信号よりも９０度位相が遅れた他の入力信号又は出力信号を用いることによって各トランジスタのベース端子に入力される前記入力信号よりも９０度遅れた位相で変化する電流を通電させるべく構成することにした。
【００１４】
また、請求項４に係る本発明では、入力された発振信号に基づいて位相が９０度ずつ異なる第１〜第４の基準位相信号を生成する位相信号生成回路と、第１〜第４のトランジスタのエミッタ端子に第１〜第４の電流源を接続し、前記第１〜第４のトランジスタのベース端子に前記第１〜第４の基準位相信号を入力し、同第１〜第４の基準位相信号に追従した第１〜第４の出力信号を前記第１〜第４のトランジスタのエミッタ端子から出力する４入力４出力型のエミッタフォロワ回路とを有する位相シフト回路において、前記エミッタフォロワ回路の前記第１〜第４の電流源は、各トランジスタのベース端子に入力される前記基準位相信号よりも９０度位相が遅れた他の基準位相信号又は出力信号を用いることによって各トランジスタのベース端子に入力される前記基準位相信号よりも９０度遅れた位相で変化する電流を通電させるべく構成することにした。
【００１５】
また、請求項５に係る本発明では、所定周波数の発振信号を生成する発振回路と、前記発振信号を二分配しかつ９０度の位相差をもたせて出力する位相シフト回路とを有するイメージ除去受信装置において、前記位相シフト回路は、入力された前記発振信号に基づいて位相が９０度ずつ異なる第１〜第４の基準位相信号を生成する位相信号生成回路と、第１〜第４のトランジスタのエミッタ端子に第１〜第４の電流源を接続し、前記第１〜第４のトランジスタのベース端子に前記第１〜第４の基準位相信号を入力し、同第１〜第４の基準位相信号に追従した第１〜第４の出力信号を前記第１〜第４のトランジスタのエミッタ端子から出力する４入力４出力型のエミッタフォロワ回路を設け、前記エミッタフォロワ回路の前記第１〜第４の電流源は、各トランジスタのベース端子に入力される前記基準位相信号よりも９０度位相が遅れた他の前記基準位相信号又は前記出力信号を用いることによって各トランジスタのベース端子に入力される前記基準位相信号よりも９０度遅れた位相で変化する電流を通電させるべく構成することにした。
【００１６】
【発明の実施の形態】
以下に、本発明の具体的な実施の形態について図面を参照しながら説明する。
【００１７】
本発明に係るエミッタフォロワ回路１は、図１に示すように、ＮＰＮ型のトランジスタ２のコレクタ端子に電源ＶＣＣを接続するとともに、トランジスタ２のベース端子に入力端子４を接続する一方、トランジスタ２のエミッタ端子に出力端子５を接続し、さらには、トランジスタ２のエミッタ端子とグランドＧＮＤとの間に電流源３を接続している。
【００１８】
そして、エミッタフォロワ回路１は、入力端子４から入力される入力信号に追従する出力信号を出力端子５から出力する。
【００１９】
その際に、入力信号として入力端子４からｓｉｎθで表される定常正弦波が入力される場合、電流源３において必要とされる駆動電流は、入力信号を微分するとともに−１を乗じた−ｃｏｓθで表される定常正弦波に比例する。この入力信号の波形（ｓｉｎθ）と駆動電流の波形（−ｃｏｓθ）とを比較すると、駆動電流の位相が入力信号の位相よりも９０度遅れていることがわかる。
【００２０】
したがって、エミッタフォロワ回路１においては、入力信号よりも９０度遅れた位相で変化する駆動電流を電流源３で通電させるようにすれば、駆動電流としては十分であり、これにより、必要以上に通電されることによって無駄に消費される駆動電流を削減することができ、エミッタフォロワ回路１の消費電力を低減することができる。
【００２１】
そこで、本発明に係るエミッタフォロワ回路１の電流源３は、入力信号よりも９０度遅れた位相で変化する電流を通電させるように構成している。
【００２２】
具体的な回路としては、入力信号よりも９０度遅れた位相で変化する制御信号を入力信号とは別途用意し、かかる別途用意した制御信号に基づいて電流を通電させる場合や、或いは、入力信号から９０度遅れた位相で変化する制御信号を生成し、かかる自己生成した制御信号に基づいて電流を通電させる場合が考えられる。
【００２３】
まず、別途用意した制御信号に基づく場合の具体的な回路について説明すると、図２に示すエミッタフォロワ回路６は、ＮＰＮ型のトランジスタ７のコレクタ端子に電源ＶＣＣを接続するとともに、トランジスタ７のベース端子に入力端子９を接続する一方、トランジスタ７のエミッタ端子に出力端子１０を接続し、さらには、トランジスタ７のエミッタ端子とグランドＧＮＤとの間に電流源としてのＮＭＯＳ型のトランジスタ８を接続している。
【００２４】
かかるトランジスタ８は、ゲート端子に制御信号入力端子１１を接続し、ドレイン端子に出力端子１０（トランジスタ７のエミッタ端子）を接続し、ソース端子及びサブストレート端子にグランドＧＮＤを接続している。
【００２５】
そして、入力信号よりも９０度位相が遅れた制御信号を制御信号入力端子１１に印加することによって、ゲート端子に印加される電圧変化に応じて、ドレイン−ソース間に入力信号よりも９０度遅れた位相で変化する電流が通電される。
【００２６】
このように、エミッタフォロワ回路６は、入力信号よりも９０度遅れた位相で変化する電流を電流源としてのＮＭＯＳ型のトランジスタ８で通電させるようにしているため、入力信号に応じて必要とされる電流を電流源で通電することになり、エミッタフォロワ回路６の駆動能力を低減させることなくエミッタフォロワ回路６の消費電力を低減させることができる。
【００２７】
次に、自己生成した制御信号に基づく場合の具体的な回路について説明すると、図３に示すエミッタフォロワ回路１２は、ＮＰＮ型のトランジスタ１３のコレクタ端子に電源ＶＣＣを接続するとともに、トランジスタ１３のベース端子に入力端子１７を接続する一方、トランジスタ１３のエミッタ端子に出力端子１８を接続し、トランジスタ１３のエミッタ端子とグランドＧＮＤとの間にＮＭＯＳ型のトランジスタ１４を接続し、さらには、入力端子１７とグランドＧＮＤとの間に抵抗１５とコンデンサ１６とを順に接続し、これらの抵抗１５とコンデンサ１６との接続部をトランジスタ１４のゲート端子に接続し、トランジスタ１４のドレイン端子に出力端子１８（トランジスタ１３のエミッタ端子）を接続し、トランジスタ１４のソース端子及びサブストレート端子にグランドＧＮＤを接続している。
【００２８】
そして、入力端子１７に入力信号を印加すると、抵抗１５とコンデンサ１６とで構成されたフィルタ回路で入力信号よりも９０度位相が遅れた制御信号を簡易的に生成し、かかる制御信号をトランジスタ１４のゲート端子に印加することによって、ゲート端子に印加される電圧変化に応じて、ドレイン−ソース間に入力信号よりも９０度遅れた位相で変化する電流が通電される。
【００２９】
したがって、上記のエミッタフォロワ回路１２では、抵抗１５とコンデンサ１６とで構成される回路は、入力信号の位相を９０度遅らせた制御信号を入力信号を用いて生成するための制御信号生成部として機能し、一方、ＮＭＯＳ型のトランジスタ１４は、制御信号に基づいて入力信号よりも９０度遅れた位相で変化する電流を通電させる可変電流通電部として機能することになる。
【００３０】
このように、上記のエミッタフォロワ回路１２では、電流源が、入力信号の位相を９０度遅らせた制御信号を入力信号を用いて生成するための制御信号生成部と、制御信号に基づいて入力信号よりも９０度遅れた位相で変化する電流を通電させる可変電流通電部とを有しているため、入力信号よりも９０度遅れた位相で変化する電流を電流源に外部から付与する必要がなくなり、各種電子回路の出力段として低消費電力型のエミッタフォロワ回路を幅広く利用することができる。
【００３１】
上記した低消費電力型のエミッタフォロワ回路の応用例として、以下に４入力４出力型のエミッタフォロワ回路や位相シフト回路について説明する。
【００３２】
図４は、４入力４出力型のエミッタフォロワ回路１９を示した図である。かかるエミッタフォロワ回路１９は、総括的に説明すると、図２に示したエミッタフォロワ回路６を４個用意し、各エミッタフォロワ回路６の出力信号を他のエミッタフォロワ回路の制御信号として相互に利用するものである。
【００３３】
具体的には、４個のＮＰＮ型のトランジスタ（第１〜第４のトランジスタ２０，２１，２２，２３）のコレクタ端子に電源ＶＣＣを接続するとともに、第１〜第４のトランジスタ２０，２１，２２，２３のベース端子に第１〜第４の入力端子２８，２９，３０，３１を接続する一方、第１〜第４のトランジスタ２０，２１，２２，２３のエミッタ端子に第１〜第４の出力端子３２，３３，３４，３５を接続し、さらには、第１〜第４のトランジスタ２０，２１，２２，２３のエミッタ端子とグランドＧＮＤとの間に電流源としてのＮＭＯＳ型のトランジスタ（第１〜第４の電流源２４，２５，２６，２７）を接続している。
【００３４】
かかる第１〜第４の電流源２４，２５，２６，２７は、ＮＭＯＳ型のトランジスタのドレイン端子に第１〜第４の出力端子３２，３３，３４，３５（第１〜第４のトランジスタ２０，２１，２２，２３のエミッタ端子）を接続し、ソース端子及びサブストレート端子にグランドＧＮＤを接続している。
【００３５】
また、第１の電流源２４としてのＮＭＯＳ型のトランジスタのゲート端子には、第４の出力端子３５（第４のトランジスタ２３のエミッタ端子）をコンデンサ３６を介して接続し、また、第２の電流源２５としてのＮＭＯＳ型のトランジスタのゲート端子には、第１の出力端子３２（第１のトランジスタ２０のエミッタ端子）をコンデンサ３７を介して接続し、また、第３の電流源２６としてのＮＭＯＳ型のトランジスタのゲート端子には、第２の出力端子３３（第２のトランジスタ２１のエミッタ端子）をコンデンサ３８を介して接続し、さらに、第４の電流源２７としてのＮＭＯＳ型のトランジスタのゲート端子には、第３の出力端子３４（第３のトランジスタ２２のエミッタ端子）をコンデンサ３９を介して接続している。
【００３６】
そして、エミッタフォロワ回路１９は、第１〜第４の入力端子２８，２９，３０，３１（第１〜第４のトランジスタ２０，２１，２２，２３のベース端子）から９０度ずつ位相が異なる第１〜第４の入力信号を入力すると、これらの第１〜第４の入力信号に追従した第１〜第４の出力信号を第１〜第４の出力端子３２，３３，３４，３５（第１〜第４のトランジスタ２０，２１，２２，２３のエミッタ端子）から出力する。
【００３７】
しかも、エミッタフォロワ回路１９は、第１〜第４のトランジスタ２０，２１，２２，２３のベース端子に入力される入力信号よりも９０度位相が遅れた他の出力信号を用いることによって第１〜第４のトランジスタ２０，２１，２２，２３のベース端子に入力される入力信号よりも９０度遅れた位相で変化する電流を第１〜第４の電流源２４，２５，２６，２７で通電させるようにしている。
【００３８】
そのため、第１〜第４の入力信号のそれぞれに応じて必要とされる電流を第１〜第４の電流源２４，２５，２６，２７で通電することになり、エミッタフォロワ回路１９の駆動能力を低減させることなく消費電力を低減させることができる。
【００３９】
しかも、この場合には、既存の第１〜第４の出力信号を有効に利用することになり、入力信号よりも９０度位相が遅れた信号を別途用意する必要がなくなるので、４入力４出力型のエミッタフォロワ回路１９の回路規模を増大させずに消費電力を低減させることができる。
【００４０】
なお、上記のエミッタフォロワ回路１９では、第１〜第４の電流源２４，２５，２６，２７に第１〜第４の出力端子３２，３３，３４，３５を接続することによって、第１〜第４の電流源２４，２５，２６，２７を第１〜第４の出力信号で制御するように構成しているが、第１〜第４の電流源２４，２５，２６，２７に第１〜第４の入力端子２８，２９，３０，２１を接続することによって、第１〜第４の電流源２４，２５，２６，２７を第１〜第４の入力信号で制御するように構成することもできる。その場合でも、既存の第１〜第４の入力信号を有効に利用することになり、入力信号よりも９０度位相が遅れた信号を別途用意する必要がなくなるので、４入力４出力型のエミッタフォロワ回路１９の回路規模を増大させずに消費電力を低減させることができる。
【００４１】
図７は、ＧＰＳ受信機などで利用されるイメージ除去受信機（図５参照）で使用される位相シフト回路（図６参照）に上記した４入力４出力型のエミッタフォロワ回路を組み込んだ回路を示している。
【００４２】
まず、イメージ除去受信機４０の構成について説明すると、イメージ除去受信機４０は、図５に示すように、受信信号を増幅するための高周波増幅回路４１に高周波信号を中間周波信号に変換するためのミキサー回路４２，４３を接続し、同ミキサー回路４２，４３に中間周波増幅回路４４，４５を接続し、同中間周波増幅回路４４，４５に信号の位相を９０度移相するためのＰＳＮ（Ｐｈａｓｅ  Ｓｈｉｆｔ  Ｎｅｔｗｏｒｋ）回路４６，４７を接続し、これらのＰＳＮ回路４６，４７に加算回路４８を接続し、同加算回路４８にバンドパスフィルタ回路４９と増幅回路５０とを接続している。
【００４３】
また、イメージ除去受信機４０は、所定周波数の発振信号を生成するための発振回路５１に発振信号を二分配するとともに９０度の位相差をもたせた直交するローカル信号を出力する位相シフト回路５２を接続し、同位相シフト回路５２にミキサー回路４２，４３を接続している。
【００４４】
かかる位相シフト回路５２は、図６及び図７に示すように、入力された発振信号に基づいて位相が９０度ずつ異なる第１〜第４の基準位相信号を生成する位相信号生成回路５３と、電流加算型の加算回路５４と、振幅制限を行うリミッタ回路５５と、４入力４出力型のエミッタフォロワ回路５６とを順に接続して構成している。
【００４５】
この４入力４出力型のエミッタフォロワ回路５６は、前述した図４に示すエミッタフォロワ回路１９と同様の構成としている。
【００４６】
そのため、位相シフト回路５２は、エミッタフォロワ回路５６の駆動能力を低減させることなくエミッタフォロワ回路５６の消費電力を低減させることができ、これによって、位相シフト回路５２の消費電力を低減させることができる。
【００４７】
しかも、この位相シフト回路５２は、既存の入力信号や出力信号を有効に利用することで入力信号よりも９０度位相が遅れた位相の電流を通電するようにしているために、位相シフト回路５２の回路規模を増大させずに位相シフト回路５２の消費電力を低減させることができる。
【００４８】
このように、低消費電力型のエミッタフォロワ回路（１，６，１２，１９）は、直交したローカル信号を利用する受信機のローカル信号出力段として利用することができる。また、エミッタフォロワ回路（１，６，１２，１９）は、これに限られず、直交したローカル信号を利用する受信機のＩＦ信号出力段としても利用することができ、また、Ｑｕａｄｒａｔｕｒｅ復調回路と呼ばれるＦＭ信号復調回路やフィルターチューニング回路などでも利用することができる。
【００４９】
また、図８に示すように、多段接続したＰＰＦ（Ｐｏｌｙ  Ｐｈａｓｅ  Ｆｉｌｔｅｒ）回路５７ａと４入力４出力型のエミッタフォロワ回路５７ｂとからなる位相シフト回路５７にも利用することができる。
【００５０】
なお、図５に示したイメージ除去受信機４０では、移相回路として一対のＰＳＮ回路４６，４７を用いているが、このＰＳＮ回路４６，４７は、図９に示すように、複数のＰＳＮ回路５８〜６５を多段階に直列的に接続した構成としている。
【００５１】
かかるＰＳＮ回路４６，４７を用いた場合には、内部のオペアンプの影響で動作周波数の広帯域化を図ることが困難であるが、図１０や図１１に示すように、内部にオペアンプを使用しないＰＰＦ回路を用いることで動作周波数の広帯域化を図ることができる。ここで、図１０に示す移相回路６６は、中間周波増幅回路６７に４段のＰＰＦ回路６８，６９，７０，７１を直列的に接続したものであり、図１１に示す移相回路７２は、中間周波増幅回路７３に３段のＰＰＦ回路７４，７５，７６を直列的に接続するとともに、１段目のＰＰＦ回路７４と２段目のＰＰＦ回路７５との間に増幅回路７７を設けて、１段目のＰＰＦ回路７４でのゲイン低下を補えるようにしたものである。
【００５２】
【発明の効果】
本発明は、以上に説明したような形態で実施され、以下に記載されるような効果を奏する。
【００５３】
すなわち、請求項１に係る本発明では、トランジスタのエミッタ端子に電流源を接続し、ベース端子から入力される入力信号に追従する出力信号をエミッタ端子から出力するエミッタフォロワ回路において、入力信号よりも９０度遅れた位相で変化する電流を電流源で通電させるようにしているため、入力信号に応じて必要とされる電流を電流源で通電することになり、エミッタフォロワ回路の駆動能力を低減させることなく消費電力を低減させることができる。
【００５４】
また、請求項２に係る本発明では、電流源が、入力信号の位相を９０度遅らせた制御信号を入力信号を用いて生成するための制御信号生成部と、制御信号に基づいて入力信号よりも９０度遅れた位相で変化する電流を通電させる可変電流通電部とを有しているため、入力信号よりも９０度遅れた位相で変化する電流を電流源に外部から付与する必要がなくなり、各種電子回路の出力段として低消費電力型のエミッタフォロワ回路を幅広く利用することができる。
【００５５】
また、請求項３に係る本発明では、第１〜第４のトランジスタのエミッタ端子に第１〜第４の電流源を接続し、前記第１〜第４のトランジスタのベース端子から入力される９０度ずつ位相が異なる第１〜第４の入力信号に追従した第１〜第４の出力信号を前記第１〜第４のトランジスタのエミッタ端子から出力する４入力４出力型のエミッタフォロワ回路において、各トランジスタのベース端子に入力される入力信号よりも９０度位相が遅れた他の入力信号又は出力信号を用いることによって各トランジスタのベース端子に入力される入力信号よりも９０度遅れた位相で変化する電流を第１〜第４の電流源で通電させるようにしているため、これによっても、各入力信号に応じて必要とされる電流を各電流源で通電することになり、エミッタフォロワ回路の駆動能力を低減させることなく消費電力を低減させることができる。
【００５６】
しかも、この場合には、既存の入力信号や出力信号を有効に利用することになり、入力信号よりも９０度位相が遅れた信号を別途用意する必要がなくなるので、４入力４出力型のエミッタフォロワ回路の回路規模を増大させずに消費電力を低減させることができる。
【００５７】
また、請求項４に係る本発明では、入力された発振信号に基づいて位相が９０度ずつ異なる第１〜第４の基準位相信号を生成する位相信号生成回路と、第１〜第４のトランジスタのエミッタ端子に第１〜第４の電流源を接続し、前記第１〜第４のトランジスタのベース端子に前記第１〜第４の基準位相信号を入力し、同第１〜第４の基準位相信号に追従した第１〜第４の出力信号を前記第１〜第４のトランジスタのエミッタ端子から出力する４入力４出力型のエミッタフォロワ回路とを有する位相シフト回路において、エミッタフォロワ回路の第１〜第４の電流源は、各トランジスタのベース端子に入力される基準位相信号よりも９０度位相が遅れた他の基準位相信号又は出力信号を用いることによって各トランジスタのベース端子に入力される基準位相信号よりも９０度遅れた位相で変化する電流を通電させるように構成しているため、各入力信号に応じて必要とされる電流を各電流源で通電することになり、エミッタフォロワ回路の駆動能力を低減させることなく位相シフト回路の消費電力を低減させることができる。
【００５８】
しかも、この場合には、既存の入力信号や出力信号を有効に利用することになり、入力信号よりも９０度位相が遅れた信号を別途用意する必要がなくなるので、位相シフト回路の回路規模を増大させずに位相シフト回路の消費電力を低減させることができる。
【００５９】
また、請求項５に係る本発明では、所定周波数の発振信号を生成する発振回路と、前記発振信号を二分配しかつ９０度の位相差をもたせて出力する位相シフト回路とを有するイメージ除去受信装置において、前記位相シフト回路は、入力された前記発振信号に基づいて位相が９０度ずつ異なる第１〜第４の基準位相信号を生成する位相信号生成回路と、第１〜第４のトランジスタのエミッタ端子に第１〜第４の電流源を接続し、前記第１〜第４のトランジスタのベース端子に前記第１〜第４の基準位相信号を入力し、同第１〜第４の基準位相信号に追従した第１〜第４の出力信号を前記第１〜第４のトランジスタのエミッタ端子から出力する４入力４出力型のエミッタフォロワ回路を設け、前記エミッタフォロワ回路の前記第１〜第４の電流源は、各トランジスタのベース端子に入力される前記基準位相信号よりも９０度位相が遅れた他の前記基準位相信号又は前記出力信号を用いることによって各トランジスタのベース端子に入力される前記基準位相信号よりも９０度遅れた位相で変化する電流を通電させるべく構成しているため、各入力信号に応じて必要とされる電流を各電流源で通電することになり、エミッタフォロワ回路の駆動能力を低減させることなくイメージ除去受信装置の消費電力を低減させることができる。
【００６０】
しかも、この場合には、既存の入力信号や出力信号を有効に利用することになり、入力信号よりも９０度位相が遅れた信号を別途用意する必要がなくなるので、イメージ除去受信装置の回路規模を増大させずにイメージ除去受信装置の消費電力を低減させることができる。
【図面の簡単な説明】
【図１】本発明に係るエミッタフォロワ回路を示す回路図。
【図２】外部の制御信号を用いたエミッタフォロワ回路を示す回路図。
【図３】自己生成した制御信号を用いたエミッタフォロワ回路を示す回路図。
【図４】４入力４出力型のエミッタフォロワ回路を示す回路図。
【図５】イメージ除去受信機を示す回路ブロック図。
【図６】位相シフト回路を示す回路ブロック図。
【図７】同回路図。
【図８】他の位相シフト回路を示す回路図。
【図９】移相回路を示す回路ブロック図。
【図１０】他の移相回路を示す回路ブロック図。
【図１１】他の移相回路を示す回路ブロック図。
【図１２】従来の位相シフト回路を示す回路図。
【図１３】従来のエミッタフォロワ回路を示す回路図。
【符号の説明】
１  エミッタフォロワ回路
２  トランジスタ
３  電流源
４  入力端子
５  出力端子
６  エミッタフォロワ回路
７，８  トランジスタ
９  入力端子
１０  出力端子
１１  制御信号入力端子
１２  エミッタフォロワ回路
１３，１４  トランジスタ
１５  抵抗
１６  コンデンサ
１７  入力端子
１８  出力端子
１９  エミッタフォロワ回路
２０〜２３  第１〜第４のトランジスタ
２４〜２７  第１〜第４の電流源
２８〜３１  第１〜第４の入力端子
３２〜３５  第１〜第４の出力端子
３６〜３９  コンデンサ
５２，５７  位相シフト回路
【図１】
2004253919.tif 000003
【図２】
2004253919.tif 000004
【図３】
2004253919.tif 000005
【図４】
2004253919.tif 000006
【図５】
2004253919.tif 000007
【図６】
2004253919.tif 000008
【図７】
2004253919.tif 000009
【図８】
2004253919.tif 000010
【図９】
2004253919.tif 000011
【図１０】
2004253919.tif 000012
【図１１】
2004253919.tif 000013
【図１２】
2004253919.tif 000014
【図１３】
2004253919.tif 000015